(57)【要約】【課題】走行中の基板を基板停止位置で停止させる時間を短くすることができ、タクトタイムが無駄に長くなるのを抑えることができる基板搬送装置を提供する。【解決手段】基板を搬送する搬送部と、前記搬送部を駆動させることにより、基板を加速、定速、減速走行させるとともに、基板を特定の割合で減速させる設定減速度が設定可能な搬送駆動部と、前記搬送駆動部を制御する駆動制御部と、を備える基板搬送装置であって、前記搬送部には、走行中の基板の位置を検知する位置センサーと、走行中の基板を停止させる基板停止位置が設定されており、前記駆動制御部は、前記基板停止位置と設定減速度とから減速開始遅延時間を演算し、前記位置センサーにより定速走行中の基板が検知された後、減速開始遅延時間だけ基板を定速で走行させ、減速開始遅延時間経過後、減速を開始させる。【選択図】図１
2013033785.tif 000002
【特許請求の範囲】
【請求項１】
基板を搬送する搬送部と、
前記搬送部を駆動させることにより、基板を加速、定速、減速走行させるとともに、基板を特定の割合で減速させる設定減速度が設定可能な搬送駆動部と、
前記搬送駆動部を制御する駆動制御部と、
を備える基板搬送装置であって、
前記搬送部には、走行中の基板の位置を検知する位置センサーと、走行中の基板を停止させる基板停止位置が設定されており、
前記駆動制御部は、前記基板停止位置と設定減速度とから減速開始遅延時間を演算し、前記位置センサーにより定速走行中の基板が検知された後、減速開始遅延時間だけ基板を定速で走行させ、減速開始遅延時間経過後、減速を開始させることを特徴とする基板搬送装置。
【発明の詳細な説明】
【技術分野】
【０００１】
本発明は、基板を搬送及び停止させる基板搬送装置に関するものであり、特に基板を所定方向に搬送し、定速走行中の基板を所定の位置で停止させることができる基板搬送装置に関する。
【背景技術】
【０００２】
従来より、例えばフラットパネルディスプレイ（ＦＰＤ）のフォトリソグラフィの技術分野では、基板に所定処理を行う基板処理装置から次工程における基板処理装置への基板の搬送に基板搬送装置が使用されている。例えば、下記特許文献１に示すように、各基板処理装置の間をローラを備える基板搬送装置により処理中の基板が搬送される。このような基板搬送装置は、ローラ等の基板を搬送する搬送部と、ローラを駆動させるサーボモータ等の搬送駆動部と、搬送駆動部を制御する駆動制御部とを備えており、駆動制御部に制御されるサーボモータによりローラの回転が制御されることにより、基板を所定の方向に搬送し、また所定の位置で停止させることができるようになっている。
【０００３】
具体的には、上流側の基板処理装置から基板が排出されてローラ上に基板が載置されると、駆動制御部によりサーボモータが駆動制御されることにより、基板が所定速度に達するまで加速される。そして、設定された速度に達するとその設定速度で定速運転が行われ、下流側の基板処理装置に近づくと減速され、設定された基板停止位置で停止される。
【０００４】
通常、基板を所定の基板停止位置で停止させる場合には、搬送部に減速開始センサと停止センサとを用いて行われる。すなわち、減速開始センサと停止センサとを適当な位置に配置されており、設定された速度（第１設定速度）で定速走行している基板に減速開始センサが反応することにより基板停止位置で確実に無理なく停止できる速度（第２設定速度）まで減速させる。そして、第２設定速度で定速走行している基板に停止センサが反応することによりさらに減速させ基板停止位置に停止させる。
【先行技術文献】
【特許文献】
【０００５】
【特許文献１】特開２０００−１３８４９８
【発明の概要】
【発明が解決しようとする課題】
【０００６】
しかし、上記基板搬送装置では、タクトタイムが長くなってしまうという問題があった。すなわち、減速開始センサと停止センサとは、基板停止位置に対して適当に設定されるため、タクトタイムが長くなる傾向がある。具体的には、それぞれのセンサを設定し、実際に走行状態の基板を停止させることにより基板停止位置に無理なく止まることを確認して設定される。通常、基板停止位置には、ストッパが設けられており、基板の走行速度が高すぎると基板がストッパに衝突し、基板を損傷する虞がある。そのため、減速開始センサ及び停止センサは、基板の走行速度が十分に落とせる距離を確保して設定される傾向があり、本来、第１設定速度で走行させても基板を停止できる区間であっても、減速開始センサを設置して早めに第２設定速度で走行させる傾向がある。その結果、第１設定速度で走行させてもよい区間を第１設定速度より遅い第２設定速度で走行させることになり、タクトタイムを無駄に長くしてしまうという問題がある。
【０００７】
また、基板は一度加速させた後、減速するまで定速走行させるが、この定速走行の速度の設定が変更されると、減速開始センサと停止センサの位置を再度設定し直す必要がある。すなわち、定速走行の速度を変更すると段取り時間が長くなるという問題があった。
【０００８】
本発明は、上記の問題点に鑑みてなされたものであり、走行中の基板を基板停止位置で停止させる時間を短くすることができ、タクトタイムが無駄に長くなるのを抑えることができる基板搬送装置を提供することを目的としている。
【課題を解決するための手段】
【０００９】
上記課題を解決するために本発明の基板搬送装置は、基板を搬送する搬送部と、前記搬送部を駆動させることにより、基板を加速、定速、減速走行させるとともに、基板を特定の割合で減速させる設定減速度が設定可能な搬送駆動部と、前記搬送駆動部を制御する駆動制御部と、を備える基板搬送装置であって、前記搬送部には、走行中の基板の位置を検知する位置センサーと、走行中の基板を停止させる基板停止位置が設定されており、前記駆動制御部は、前記基板停止位置と設定減速度とから減速開始遅延時間を演算し、前記位置センサーにより定速走行中の基板が検知された後、減速開始遅延時間だけ基板を定速で走行させ、減速開始遅延時間経過後、減速を開始させることを特徴としている。
【００１０】
上記基板搬送装置によれば、駆動制御部により前記基板停止位置と設定減速度とから減速開始遅延時間が演算され、基板の位置が位置センサで確認されると、減速開始遅延時間経過後、減速を開始させるため、タクトタイムが無駄に長くなるのを抑えることができる。ここで、減速開始遅延時間は、モータ等の搬送駆動部に設定される設定減速度（一定割合の減速度）で減速させた場合に停止できるまでの時間であり、本発明では、設定減速度で減速させた場合に基板停止位置で停止できる最短の時間である。すなわち、定速走行中の基板が位置センサで検知されることにより、基板の位置が確認された後、減速開始遅延時間だけ、そのままの速度で走行させる。そして、減速開始遅延時間だけ走行させた後、設定減速度で減速させることにより基板を基板停止位置で確実に停止させることができる。したがって、設定減速度で減速しなければならない地点まで定速走行中の速度そのままで走行させることができるため、定速走行中の速度（第１設定速度）より遅い速度（第２設定速度）に早めに減速させる従来の方法に比べてタクトタイムが無駄に長くなるのを抑えることができる。また、基板停止位置と設定減速度とから減速開始遅延時間が演算され、減速開始遅延時間経過後に減速させればよいため、定速走行の速度が変更された場合でも停止センサ類の設置位置を変更する作業を行う必要がない。よって、定速走行速度変更に伴う段取り時間を無くすことができる。
【発明の効果】
【００１１】
本発明の基板搬送装置によれば、走行中の基板を基板停止位置で停止させる時間を短くすることができ、タクトタイムが無駄に長くなるのを抑えることができる。
【図面の簡単な説明】
【００１２】
【図１】本発明の一実施形態における基板搬送装置の概略側面図である。
【図２】上記基板搬送装置の概略上面図である。
【図３】上記基板搬送装置において、基板が定速走行から基板停止位置で停止するまでの時間と速度を示す図であり、図３（ａ）は、従来における時間と速度を示す図、図３（ｂ）は本実施形態における時間と速度を示す図である。
【発明を実施するための形態】
【００１３】
本発明の基板搬送装置に係る実施の形態を図面を用いて説明する。
【００１４】
図１は、基板搬送装置の一実施形態を示す概略側面図であり、図２は、基板搬送装置の概略上面図である。
【００１５】
図１、図２において、基板搬送装置は、平板状の基板２を搬送するものであり、基板２を搬送する搬送部１０と、搬送部１０を駆動させて基板２を走行させる搬送駆動部２０と、この搬送駆動部２０を制御する駆動制御部３０とを有している。そして、搬送駆動部２０が駆動制御部３０に制御されることにより搬送部１０を駆動させて基板２を所定の方向に走行させて搬送できるようになっている。
【００１６】
なお、以下の説明では、基板２が搬送される搬送方向をＸ軸方向とし、これと水平面上で直交する方向をＹ軸方向、Ｘ軸方向及びＹ軸方向の双方に直交する方向をＺ軸方向として説明を進めることとする。
【００１７】
搬送部１０は、基板２を所定の方向に搬送するものである。本実施形態では、一軸方向に延びるローラー１１が複数並べて配置されて構成されている。すなわち、略円筒状のローラー１１がＸ軸方向に同一高さで並べて配置されており、そのローラー１１それぞれが軸回りに回転可能に支持されている。そして、基板２がローラー１１上に載置された状態でローラー１１を回転させることにより、基板２はローラー１１配置方向（Ｘ軸方向）に搬送されるようになっている。
【００１８】
この搬送部１０には、基板停止位置１２が設けられている。この基板停止位置１２は、基板２が次工程に進むために一時的に停止する位置であり、例えば、ロボットハンドなどに基板２を把持させるために基板２を一時的に停止させる位置である。具体的には、任意の２つのローラー１１間には、ローラー１１の表面高さよりも突出するストッパー１３が設けられており、搬送された基板２がストッパー１３に当接することにより基板２を基板停止位置１２に停止させることができる。すなわち、ストッパー１３を設ける位置は、基板停止位置１２に応じて適宜設置することができる。
【００１９】
また、搬送部１０には、基板２の位置を確認するための位置センサー１４が設けられている。この位置センサー１４は、具体的には光電センサーであり、各ローラー１１の配列方向途中に取付けられている。そして、搬送中の基板２が光を遮蔽することにより基板２の先端位置を確認できるようになっている。なお、この位置センサー１４は駆動制御部３０に接続されており、位置センサー１４の信号は駆動制御部３０に取り込まれるようになっている。
【００２０】
搬送駆動部２０は、搬送部１０を駆動させて基板２を走行させるものであり、駆動力を発生させるサーボモータ２１と、このサーボモータ２１の駆動力を各ローラー１１に伝達するベルト２２とを有している。サーボモータ２１は、駆動制御部３０の指令を受けることにより、回転軸の回転数を調整できる。この回転軸にはギア２４が取付けられており、この回転軸のギア２４と、各ローラー１１端部に取付けられたそれぞれのギア１０ａとがベルト２２で連結されている。したがって、サーボモータ２１の回転軸が回転すると、それぞれのローラー１１が軸回りに回転できるようになっている。そして、回転軸の回転数が制御されることによりローラー１１の回転数が調節され、ローラー１１上に載置された基板２が加速走行、定速走行、減速走行できるようになっている。
【００２１】
また、サーボモータ２１は、基板２の走行速度を減速させる割合である減速度が１つ任意に設定することができる。本実施形態では、基板２がローラー１１上を滑ることなく減速できる減速度を設定減速度として設定されており、設定減速度が設定された状態で基板２を減速させた場合には、常に設定減速度で減速される。具体的には、サーボモータ２１の起動時に基板２が最高速度（モータ最高速度）を発生する状態から、基板２が停止するまでの時間を入力することにより設定減速度を設定する。これにより、基板２のいかなる速度からの減速も設定減速度で減速されるようになる。
【００２２】
また、駆動制御部３０は、上記搬送駆動部２０であるサーボモータ２１を制御するものである。具体的には、ローラー１１上に載置された基板２を加速走行、定速走行、減速走行させるようにサーボモータ２１を制御する。具体的には、位置センサー１４からの入力があれば、後述する減速開始遅延時間後に設定減速度により基板２の走行を減速させる。
【００２３】
また、駆動制御部３０には、入力機器を介して各種パラメータを入力できるようになっており、この入力情報を基に減速開始遅延時間を演算することができる。ここで、減速開始遅延時間とは、サーボモータ２１に設定される設定減速度で減速させた場合に基板２が所定の位置に停止できるまでの時間であり、本実施形態では、設定減速度で減速させた場合に基板停止位置１２で停止できる最短の時間である。
【００２４】
この減速開始遅延時間ｔａは、以下の式で算出することができる。
【００２５】
ｔａ＝（Ｌ−（０．５×Ｖａ×（Ｖａ／Ｖ０）×ｔ０））／Ｖａ
Ｌ：位置センサー１４からストッパー１３までの距離
Ｖ０：モータ最高速度
ｔ０：Ｖ０における減速時間
Ｖａ：定速走行速度
ここで、定速走行速度Ｖａは、製品を生産する際の基板２の速度であり、ユーザーのタクトタイムに合わせて設定されるものである。すなわち、駆動制御部３０は、ユーザーによりＶａが入力されると、それに応じた減速開始遅延時間ｔａを演算し、走行中の基板２が位置センサー１４により検知されると、減速開始遅延時間ｔａだけそのまま基板２を定速走行させ、減速開始遅延時間ｔａの経過とともに設定減速度で減速させて基板停止位置１２に停止させる。
【００２６】
これにより、従来に比べて基板停止位置１２に基板２を停止させるまでの時間を短縮させることができる。ここで、図３は、基板２が定速走行から基板停止位置１２で停止するまでの時間と速度を示す図であり、図３（ａ）は、従来における時間と速度を示す図、図３（ｂ）は本実施形態における時間と速度を示す図である。従来では、Ｖ１で定速走行している基板２を減速センサが検知すると安全に停止できる速度Ｖ２（＜Ｖ１）に減速する。そして、そのまま基板２を速度Ｖ２で定速走行させ、停止センサが基板２を検知することによりさらに減速させて停止させる。
【００２７】
一方、本実施形態では、定速走行速度Ｖａで走行中の基板２が減速センサにより検知されると、減速開始遅延時間ｔａだけ、そのまま定速走行速度Ｖａで走行し減速開始遅延時間ｔａの経過とともに設定減速度で減速し停止する。したがって、位置センサー１４が検知してから基板停止位置１２で停止するまで、安全に基板停止位置１２で停止できる極限位置まで定速走行速度で走行し続けるため、定速走行速度よりも小さい速度で走行する区間が存在する従来に比べて、基板停止位置１２に基板２を停止させるまでの時間を短縮させることができる。
【００２８】
また、定速走行速度Ｖａ変更した場合であっても、それに応じて減速開始遅延時間ｔａが演算される。そして、変更後の定速走行速度Ｖａで走行する基板２を位置センサー１４が検知した後、そのまま変更後の定速走行速度Ｖａで減速開始遅延時間ｔａ走行させた後、設定減速度で減速させて停止させるため、従来のように、停止センサ類の設置位置を変更する作業を行う必要がない。よって、定速走行速度Ｖａ変更に伴う段取り時間を無くすことができる。
【００２９】
また、上記実施形態では、搬送部１０が複数のローラー１１を配列させたローラーコンベアの例について説明したが、基板２を載置する載置面からエアや超音波等で基板２を載置面から浮上させた状態で搬送させる浮上搬送装置に適用するものであってもよい。
【符号の説明】
【００３０】
１０  搬送部
１２  基板停止位置
１４  位置センサー
２０  搬送駆動部
３０  駆動制御部
【図１】
2013033785.tif 000003
【図２】
2013033785.tif 000004
【図３】
2013033785.tif 000005